(57)【要約】      （修正有）【課題】少ない桁数の数字配信情報であっても、膨大な数の配信情報から所望の配信情報を検索可能な配信情報検索システム,及び情報配信システム。【解決手段】クライアント端末に配信可能な配信情報が情報タグ１６にて表示され，所定桁数の数字情報１８と該情報タグ１６が存するエリア情報２０とを関連付け格納し、格納された数字情報１８のうち、いずれかの数字情報１８をクライアント端末から受信し，前記情報タグ１６が存するエリア情報２０を認識する．認識されたエリア情報２０及び受信された数字情報１８に基づいて、これらエリア情報２０及び数字情報１６に関連する配信情報を格納された配信情報から検索し，クライアントに配信する手段を備えたことを特徴とする配信情報検索システム。【選択図】図３
2006059294.tif 000002
【特許請求の範囲】
【請求項１】
クライアント端末に配信可能な配信情報が情報タグに表示される所定桁数の数字情報及び該情報タグが存するエリア情報と関連付けされて格納された配信情報格納部と、
該配信情報格納部に格納された数字情報のうち、いずれかの数字情報をクライアント端末から受信する数字情報受信手段と、
前記情報タグが存するエリア情報を認識するエリア情報認識手段と、
該エリア情報認識手段によって認識されたエリア情報及び前記数字情報受信手段によって受信された数字情報に基づいて、これらエリア情報及び数字情報に関連する配信情報を前記配信情報格納部に格納された配信情報から検索する配信情報検索手段と、
を備えたことを特徴とする配信情報検索システム。
【請求項２】
前記情報タグが存するエリア情報を格納するエリア情報格納部をさらに備えたことを特徴とする請求項１記載の配信情報検索システム。
【請求項３】
前記エリア情報には、複数に区分された地域に関する地域情報が含まれることを特徴とする請求項２記載の配信情報検索システム。
【請求項４】
前記クライアント端末の位置情報を受信する位置情報受信手段と、
前記位置情報受信手段によって受信された前記クライアント端末の位置情報に基づいて、その位置情報が属する地域情報を前記エリア情報格納部に格納された地域情報から検索する地域情報検索手段と、をさらに備え、
前記エリア情報認識手段は、該地域情報検索手段によって検索された地域情報をエリア情報として認識するよう構成されていることを特徴とする請求項３記載の配信情報検索システム。
【請求項５】
前記クライアント端末の位置情報を受信する位置情報受信手段と、
前記位置情報受信手段によって受信された前記クライアント端末の位置情報に基づいて、その位置情報が属する地域情報を前記エリア情報格納部に格納された地域情報から検索する地域情報検索手段と、をさらに備え、
前記エリア情報格納部に格納された地域情報には、隣接する地域が互いに重複しない数値が付され、
地域情報に付された数値は、前記配信情報格納部にその地域情報と関連付けられて格納された数字情報の一部として利用され、
前記エリア情報認識手段は、前記地域情報検索手段によって検索された地域情報及びそれに隣接する地域情報のうち、前記数字情報受信手段によって受信された数字情報の前記一部の数値と同一の数値が付された地域情報をエリア情報として認識するよう構成されていることを特徴とする請求項３記載の配信情報検索システム。
【請求項６】
前記配信情報格納部に格納された数字情報のうち、いずれかのエリア情報を前記クライアント端末から受信するエリア情報受信手段をさらに備え、
前記エリア情報認識手段は、該エリア情報受信手段によって受信されたものをエリア情報として認識するよう構成されていることを特徴とする請求項１又は２記載の配信情報検索システム。
【請求項７】
前記クライアント端末の位置情報を受信する位置情報受信手段と、
前記位置情報受信手段によって受信された前記クライアント端末の位置情報に基づいて、その位置情報が属する地域情報を前記エリア情報格納部に格納された地域情報から検索する地域情報検索手段と、
前記配信情報格納部に格納された数字情報のうち、いずれかのエリア情報を前記クライアント端末から受信するエリア情報受信手段と、をさらに備え、
前記エリア情報認識手段は、該地域情報検索手段によって検索された地域情報又は前記エリア情報受信手段によって受信されたものをエリア情報として認識するよう構成されていることを特徴とする請求項３記載の配信情報検索システム。
【請求項８】
前記クライアント端末の位置情報を受信する位置情報受信手段と、
前記位置情報受信手段によって受信された前記クライアント端末の位置情報に基づいて、その位置情報が属する地域情報を前記エリア情報格納部に格納された地域情報から検索する地域情報検索手段と、
前記配信情報格納部に格納された数字情報のうち、いずれかのエリア情報を前記クライアント端末から受信するエリア情報受信手段と、をさらに備え、
前記エリア情報格納部に格納された地域情報には、隣接する地域が互いに重複しない数値が付され、
地域情報に付された数値は、前記配信情報格納部にその地域情報と関連付けられて格納された数字情報の一部として利用され、
前記エリア情報認識手段は、前記地域情報検索手段によって検索された地域情報及びそれに隣接する地域情報のうち、前記数字情報受信手段によって受信された数字情報の前記一部の数値と同一の数値が付された地域情報又は前記エリア情報受信手段によって受信されたものをエリア情報として認識するよう構成されていることを特徴とする請求項３記載の配信情報検索システム。
【請求項９】
前記配信情報格納部は、ＩＤを付して配信情報を格納する配信情報格納部本体と、数字情報及びエリア情報に情報タグのＩＤを付して、配信情報のＩＤとともに情報タグのＩＤを格納する情報タグ格納部と、を備えていることを特徴とする請求項１乃至８いずれか記載の配信情報検索システム。
【請求項１０】
前記数字情報は、利用期間毎に異なる配信情報と関連付け可能に前記配信情報格納部に格納されており、
前記配信情報検索手段は、その検索日が利用期間内にある配信情報を検索するように構成されていることを特徴とする請求項１乃至９いずれか記載の配信情報検索システム。
【請求項１１】
請求項１乃至１０いずれか記載の配信情報検索システムと、
前記配信情報検索システムによって検索された配信情報を前記クライアント端末に配信する情報配信手段と、
を備えたことを特徴とする情報配信システム。
【請求項１２】
前記クライアント端末に配信した配信情報をユーザ毎に格納するユーザ記録格納部と、
該ユーザ記録格納部に格納された配信情報を検索する配信済み情報検索手段と、
をさらに備えたことを特徴とする請求項１１記載の情報配信システム。
【請求項１３】
情報タグに表示される所定桁数の数字情報を受信する数字情報受信工程と、
前記情報タグが存するエリア情報を認識するエリア情報認識工程と、
前記数字情報受信工程によって受信された数字情報及び前記エリア情報認識工程によって認識されたエリア情報に基いて所望の配信情報を検索する配信情報検索工程と、
を備えたことを特徴とする配信情報検索方法。
【請求項１４】
前記数字情報を送信したクライアント端末の位置情報を受信する位置情報受信工程と、
前記位置情報受信工程によって受信された位置情報に基いて前記情報タグが存する地域情報を検索する地域情報検索工程と、
をさらに備え、
前記エリア情報認識工程は、前記地域情報検索工程によって検索された地域情報を前記情報タグが存するエリア情報として認識することを特徴とする請求項１３記載の配信情報検索方法。
【請求項１５】
請求項１３又は１４記載の配信情報検索方法によって検索された配信情報を前記数字情報を送信したクライアント端末に配信する情報配信工程を備えたことを特徴とする情報配信方法。
【発明の詳細な説明】
【技術分野】
【０００１】
本発明は、所定桁数の数字情報に基づいて配信情報を検索する配信情報検索システム、及びその配信情報検索システムによって検索された配信情報を配信する情報配信システム、並びに配信情報検索方法及び情報配信方法に関する。
【背景技術】
【０００２】
近年、インターネット技術の発達により、パソコンだけでなく、移動体電話やＰＤＡなど様々なクライアント端末によって様々な情報を取得できるようになっている。これらパソコンなどによる様々な情報の取得は、通常、インターネット閲覧用ソフトにの配信情報としてＵＲＬアドレスを入力し、インターネットプロバイダなどを介して入力されたＵＲＬアドレスのホームページなどにアクセスすることにより行うことができる。通常、ＵＲＬアドレスとしては、ローマ字や数字を所定の桁数配列されているものが利用されている。
【０００３】
しかしながら、移動体電話など入力キーが少ないクライアント端末において、ローマ字を入力する場合、複数回入力キーを押さなければならず、数字を入力する場合に比し、容易ではない。このため、近年、配信情報としてローマ字を配列したものの代わりに数字を配列した数字配信情報、例えば商品のバーコード表示の数値が使用されている（特許文献１）。この数字配信情報を利用する場合、先ず、この数字配信情報とＵＲＬ配信情報を関連付けて格納する格納部を有するサーバにそのサーバのＵＲＬアドレスを入力することによってアクセスし、その後、そのサーバに入力した数字配信情報を送信することにより、その数字配信情報に対応するＵＲＬ配信情報を有するホームページなどにアクセスすることができる。
【０００４】
【特許文献１】特開２００２−２２２１３１号公報
【発明の開示】
【発明が解決しようとする課題】
【０００５】
このような数字配信情報は、移動体電話などによる入力が容易であるが、２６種類あるローマ字に比し、０〜９と１０種類しかないので、膨大な数の情報と関連付ける場合にその桁数が多くなるという問題がある。このように入力する桁数が多くなると、その分入力時間が増すだけでなく、誤入力が生じる可能性があるので、桁数が少ない方が、早く確実に入力することができる。
【０００６】
そこで、本発明は、少ない桁数の数字配信情報であっても、膨大な数の配信情報から所望の配信情報を検索可能な配信情報検索システム、及びその配信情報検索システムによって検索された配信情報を配信する情報配信システム、並びに配信情報検索方法及び情報配信方法を提供することを目的とする。
【課題を解決するための手段】
【０００７】
以上の目的を達成するために、本発明は、クライアント端末に配信可能な配信情報が情報タグに表示される所定桁数の数字情報及び該情報タグが存するエリア情報と関連付けされて格納された配信情報格納部と、該配信情報格納部に格納された数字情報のうち、いずれかの数字情報をクライアント端末から受信する数字情報受信手段と、前記情報タグが存するエリア情報を認識するエリア情報認識手段と、該エリア情報認識手段によって認識されたエリア情報及び前記数字情報受信手段によって受信された数字情報に基づいて、これらエリア情報及び数字情報に関連する配信情報を前記配信情報格納部に格納された配信情報から検索する配信情報検索手段と、を備えたことを特徴とする配信情報検索システムである。
【０００８】
以上のように、本発明に係る配信情報検索システムによれば、配信情報を情報タグの数字情報だけでなく、その情報タグが存するエリア情報と関連付けて格納しているので、異なるエリアであれば、異なる配信情報に関連付けされた数字情報として同じ数字を利用することができ、使用される数字情報の桁数を少なくすることができる。
【０００９】
本発明に係る配信情報検索システムにおいて、前記配信情報格納部は、ＩＤを付して配信情報を格納する配信情報格納部本体と、数字情報及びエリア情報に情報タグのＩＤを付して、配信情報のＩＤとともに情報タグのＩＤを格納する情報タグ格納部と、に分けても良く、このように配信情報格納部を配信情報格納部本体と情報タグ格納部に分けることにより、例えば一つのＩＤを有する配信情報を複数の異なる情報タグＩＤと関連付けることができる。
【００１０】
本発明に係る配信情報検索システムにおいて、前記配信情報格納部に格納されるエリア情報を格納するエリア情報格納部をさらに備えていることが好ましい。
【００１１】
また、本発明に係る配信情報検索システムにおいて、前記エリア情報には、複数に区分された地域に関する地域情報が含まれることが好ましく、この場合、本発明に係る情報検索システムは、前記クライアント端末の位置情報を受信する位置情報受信手段と、前記位置情報受信手段によって受信された前記クライアント端末の位置情報に基づいて、その位置情報が属する地域情報を前記エリア情報格納部に格納された地域情報から検索する地域情報検索手段と、をさらに備え、前記エリア情報認識手段は、該地域情報検索手段によって検索された地域情報をエリア情報として認識するよう構成されていることが好ましい。このような構成により、数字情報と地域情報に基づいて配信情報を検索することができるので、異なる地域であれば、異なる配信情報に関連付けされた数字情報として同じ数字を利用することができる。
【００１２】
さらに、このようにエリア情報に地域情報を含める場合、本発明に係る情報検索システムは、前記クライアント端末の位置情報を受信する位置情報受信手段と、前記位置情報受信手段によって受信された前記クライアント端末の位置情報に基づいて、その位置情報が属する地域情報を前記エリア情報格納部に格納された地域情報から検索する地域情報検索手段と、をさらに備え、前記エリア情報格納部に格納された地域情報には、隣接する地域が互いに重複しない数値が付され、地域情報に付された数値は、前記配信情報格納部にその地域情報と関連付けられて格納された数字情報の一部として利用され、前記エリア情報認識手段は、前記地域情報検索手段によって検索された地域情報及びそれに隣接する地域情報のうち、前記数字情報受信手段によって受信された数字情報の前記一部の数値と同一の数値が付された地域情報をエリア情報として認識するように構成されていることが好ましい。このように構成することにより、クライアント端末の位置が誤って認識された場合や、クライアント端末が属する地域と情報タグが存する地域が異なる場合であっても、情報タグの適切なエリア情報を認識することができる。
【００１３】
本発明に係る情報配信システムは、前記配信情報格納部に格納された数字情報のうち、いずれかのエリア情報を前記クライアント端末から受信するエリア情報受信手段をさらに備え、前記エリア情報認識手段は、該エリア情報受信手段によって受信されたものをエリア情報として認識するよう構成しても良く、前記クライアント端末の位置情報を受信する位置情報受信手段と、前記位置情報受信手段によって受信された前記クライアント端末の位置情報に基づいて、その位置情報が属する地域情報を前記エリア情報格納部に格納された地域情報から検索する地域情報検索手段と、前記配信情報格納部に格納された数字情報のうち、いずれかのエリア情報を前記クライアント端末から受信するエリア情報受信手段と、をさらに備え、前記エリア情報認識手段は、該地域情報検索手段によって検索された地域情報又は前記エリア情報受信手段によって受信されたものをエリア情報として認識するよう構成しても良く、前記クライアント端末の位置情報を受信する位置情報受信手段と、前記位置情報受信手段によって受信された前記クライアント端末の位置情報に基づいて、その位置情報が属する地域情報を前記エリア情報格納部に格納された地域情報から検索する地域情報検索手段と、前記配信情報格納部に格納された数字情報のうち、いずれかのエリア情報を前記クライアント端末から受信するエリア情報受信手段と、をさらに備え、前記エリア情報格納部に格納された地域情報には、隣接する地域が互いに重複しない数値が付され、地域情報に付された数値は、前記配信情報格納部にその地域情報と関連付けられて格納された数字情報の一部として利用され、前記エリア情報認識手段は、前記地域情報検索手段によって検索された地域情報及びそれに隣接する地域情報のうち、前記数字情報受信手段によって受信された数字情報の前記一部の数値と同一の数値が付された地域情報又は前記エリア情報受信手段によって受信されたものをエリア情報として認識するよう構成しても良い。
【００１４】
また、本発明に係る配信情報検索システムにおいて、前記数字情報は、利用期間毎に異なる配信情報と関連付け可能に前記配信情報格納部に格納されており、前記配信情報検索手段は、その検索日が利用期間内にある配信情報を検索するように構成されていることが好ましく、このように数字情報を利用期間毎に異なる配信情報と関連付けて格納することにより、異なる利用期間であれば、異なる配信情報に関連付けされた数字情報として、同じ数値を利用することができ、数字情報をより少ない桁数で有効利用することができる。
【００１５】
さらに、本発明は、上記目的を達成するため、前記配信情報検索システムと、前記配信情報検索システムによって検索された配信情報を前記クライアント端末に配信する情報配信手段と、を備えたことを特徴とする情報配信システムであり、本発明に係る情報配信システムは、前記クライアント端末に配信した配信情報をユーザ毎に格納するユーザ記録格納部と、該ユーザ記録格納部に格納された配信情報を検索する配信済み情報検索手段と、をさらに備えていることが好ましい。このユーザ記録格納部に格納される配信情報は、エリア情報や情報タグのＩＤなどと関連付けされていることが好ましく、また格納された配信情報うち、ユーザの要求によりブックマークとして登録できるように構成されていることが好ましい。
【００１６】
また、本発明は、上記目的を達成するため、情報タグに表示される所定桁数の数字情報を受信する数字情報受信工程と、前記情報タグが存するエリア情報を認識するエリア情報認識工程と、前記数字情報受信工程によって受信された数字情報及び前記エリア情報認識工程によって認識されたエリア情報に基いて所望の配信情報を検索する配信情報検索工程と、を備えたことを特徴とする配信情報検索方法である。
【００１７】
本発明に係る配信情報検索方法は、前記数字情報を送信したクライアント端末の位置情報を受信する位置情報受信工程と、前記位置情報受信工程によって受信された位置情報に基いて前記情報タグが存する地域情報を検索する地域情報検索工程と、をさらに備え、前記エリア情報認識工程は、前記地域情報検索工程によって検索された地域情報を前記情報タグが存するエリア情報として認識することが好ましい。
【００１８】
さらに、本発明は、上記目的を達成するために、前記配信情報検索方法によって検索された配信情報を前記数字情報を送信したクライアント端末に配信する情報配信工程を備えたことを特徴とする情報配信方法である。
【発明の効果】
【００１９】
以上のように本発明によれば、少ない桁数の数字配信情報であっても、膨大な数の配信情報から所望の配信情報を検索可能な配信情報検索システム、及びその配信情報検索システムによって検索された配信情報を配信する情報配信システム、並びに配信情報検索方法及び情報配信方法を提供することができる。
【発明を実施するための最良の形態】
【００２０】
次に、本発明に係る配信情報検索システム及びそれが含まれた情報配信システムの実施例について図面に基づいて説明する。図１は、本実施例に係る情報配信システム１０とクライアント端末１２Ａ、１２Ｂ、１２Ｃ・・・の関係を示す概念図であり、図２は、本実施例に係る情報配信システム１０の概念図である。
【００２１】
本実施例に係る情報配信システム１０は、図３に示す情報タグ１６の情報に基づいて配信可能な配信情報を検索し、その配信情報をクライアント端末１２Ａ、１２Ｂ、１２Ｃ・・・に配信するものである。本実施例において使用される情報タグ１６には、４桁の数字情報１８と、その情報タグ１６が存するエリアを示すエリア情報２０と、が表示されている。情報タグ１６は、ポスターなどの広告媒体、パフレットや雑誌などに表示される。具体的には、通常のポスターの他、電車の車内広告、テレビのＣＭ、展示会の掲示板やパンフレットなどに表示される。
【００２２】
本実施例に係る情報配信システム１０は、情報タグデータベース２１と、配信情報データベース２２と、送受信部２４と、エリア情報認識部２６と、配信情報検索部２８と、クライアント端末認識部３０と、地域情報検索部３２と、エリア情報データベース３４と、表示画面作成部３６と、ユーザ記録データベース３７と、ユーザ情報データベース３８と、ユーザ情報格納処理部３９と、制御部４０と、配信済み情報検索部４１と、を備えている。
【００２３】
本実施例においては、クライアント端末１２Ａ、１２Ｂ、１２Ｃ・・・として、ＧＰＳ機能が搭載された移動体電話を用いており、情報配信システム１０の送受信部２４は、これらクライアント端末１２Ａ、１２Ｂ、１２Ｃ・・・と移動体電話の通信事業者の基地局４２及びインターネット４４を介して通信可能に構成されている。また、通信事業者に要求することにより、送受信部２４は、クライアント端末１２Ａ、１２Ｂ、１２Ｃ・・・の位置情報、すなわちＧＰＳ情報を基地局４２及びインターネット４４を介して受信することができる。
【００２４】
配信情報データベース２２は、クライアント端末１２Ａ、１２Ｂ、１２Ｃ・・・に配信可能な配信情報にＩＤ（情報ＩＤ）を付けて格納している。配信情報としては、テキストデータ、画像、情報提供者のＵＲＬアドレスや現実の場所など様々なものがあり、複数の配信情報に同一の情報ＩＤを付しても良く、逆に後述する情報タグデータベース２１には、同一の情報ＩＤを異なるタグＩＤのレコード内に格納しても良い。なお、配信情報として情報提供者の現実の場所は、後述するエリア情報とは異なるが、現実の場所の表わすために後述するエリアＩＤを用いても良い。例えば、情報提供者がレストランである場合、そのレストランの場所とそれについての情報タグのエリア情報は、それぞれ異なるものであるが、レストランの場所としてエリアＩＤを用いることができる。
【００２５】
エリア情報データベース３４は、情報タグ１６が存するエリアを示すエリア情報にＩＤ（エリアＩＤ）を付して格納している。本実施例において、エリア情報としては、複数に区分された地域に関する地域情報と、展示会などの特定の場所、電車・地下鉄の車内広告、テレビのＣＭ、又は雑誌などの特殊エリア情報と、がある。地域情報は、後述するようにクライアント端末１２Ａ、１２Ｂ、１２Ｃ・・・の位置情報に基づいて検索されて認識されるか、又は利用者の入力データに基づいて認識され、特殊エリア情報は、利用者の入力データに基づいて認識される。地域情報それぞれは、図４に示すように３個以上の点を結ぶ３本以上のセグメントから構成されており、エリア情報データベース３４には、これらセグメントの位置情報、すなわちセグメントを構成する２点の位置情報、例えば図４の点Ｘ及び点Ｙの座標に関する情報が格納されている。また、地域情報は、例えば、東京−港区−六本木のように区分された地域をさらに細分化することにより、階層を構成しており、下位層を構成することにより、後述する地域情報の検索の高速化を図ることができる。なお、本実施例においてはセグメントの位置情報をエリア情報データベース３４に格納したが、各セグメントにＩＤ（セグメントＩＤ）を付してセグメント情報を格納するセグメント情報データベースを設け、それには、セグメントの２点の座標の他にそのセグメントによって構成される二つの地域のエリアＩＤを格納しても良い。
【００２６】
情報タグデータベース２１は、情報タグ１６に表示された数字情報１８にＩＤ（タグＩＤ）を付して格納しており、このタグＩＤの各レコードには、図５に示すように配信情報データベース２２に格納された配信情報の情報ＩＤ、エリア情報データベース３４に格納されたエリア情報のエリアＩＤ、情報タグ１６の利用開始日及び終了日、及び情報提供者ＩＤが格納されている。このようにタグＩＤのレコードに情報タグ１６の利用開始日及び終了日を格納することによって、同じ数字情報１８及び同じエリア情報２０であっても、異なるタグＩＤを付して利用することができ、数字情報の有効利用を図ることができる。
【００２７】
クライアント端末認識部３０は、送受信部２４を介してクライアント端末１２Ａ、１２Ｂ、１２Ｃ・・・の情報を入手して、クライアント端末１２Ａ、１２Ｂ、１２Ｃ・・・の機種を認識するよう構成されている。クライアント端末１２Ａ、１２Ｂ、１２Ｃ・・・の機種を特定することによって、ＧＰＳ機能の有無や、表示画面の大きさ、解像度などを認識することができる。
【００２８】
地域情報検索部３２は、送受信部２４によって受信されたクライアント端末１２Ａ、１２Ｂ、１２Ｃ・・・の位置情報に基づいて、クライアント端末１２Ａ、１２Ｂ、１２Ｃ・・・が属する地域情報を検索するように構成されている。すなわち、送受信部２４によって受信されたクライアント端末１２Ａ、１２Ｂ、１２Ｃ・・・の位置情報とエリア情報データベース２６に格納されたセグメントの情報からクライアント端末１２Ａ、１２Ｂ、１２Ｃ・・・が属する地域を検索する。その検索は、エリア情報データベース３４に格納されたセグメントの情報のうち、送受信部２４によって受信されたクライアント端末１２Ａ、１２Ｂ、１２Ｃ・・・の位置情報と垂直に交わるとともに、その位置情報とセグメントの間に他のセグメントが存在しないセグメントを検索し、検索されたセグメントを基準とする位置からその位置情報が属する地域を認識することによって行なわれる。例えば、図４の点Ｐに対してセグメントＡ、Ｂ、Ｃ、Ｄは、いずれも直角に交わるとともに、その間に他のセグメントが存在しないので、これらセグメントＡ、Ｂ、Ｃ、Ｄのいずれかを基準とする点Ｐの位置からその点Ｐが属する地域情報を検索できるが、この点Ｐに対してセグメントＦは、直角に交わるが、その間に他のセグメントであるセグメントＡが存在するので、このセグメントＦを基準として点Ｐが属する地域情報の検索は行なわない。また、本実施例においては、地域情報を細分化することにより、階層を構成しているので、上位層から順次セグメントを解決して、地域情報を特定することにより、地域検索の高速化を図ることができる。例えば、東京−港区−六本木と階層を構成している場合に、東京を特定すれば、それに隣接する神奈川内のセグメントを解決する必要はなく、東京の地域に含まれるセグメントのみを対象に地域検索を行なえば良いので、高速化を図ることができる。
【００２９】
エリア情報認識部２６は、地域情報検索部３２によって検索された地域情報又は利用者によって選択された地域情報若しくは特殊エリア情報をエリア情報として認識するように構成されている。利用者による選択は、クライアント端末１２Ａ、１２Ｂ、１２Ｃ・・・への手入力や音声入力などにより行なわれる。
【００３０】
配信情報検索部２８は、エリア情報認識部２６によって認識されたエリア情報、送受信部２４によって受信された数字情報及びその検索の日付によって、配信情報を検索するように構成されている。すなわち、配信情報検索部２８は、先ず、その検索の日付をオペレーションシステムなどから認識するとともに、エリア情報認識部２６によって認識されたエリア情報が含まれるエリアＩＤをエリア情報データベース３４から検索し、そのエリアＩＤ及び送受信部２４が受信した数字情報が含まれるとともに、検索日が開始日と終了日の間にあるタグＩＤを情報タグデータベース２１から検索し、次いで検索されたタグＩＤのレコードに含まれる情報ＩＤを引用して、配信情報データベース２２に格納された配信情報からその情報ＩＤが含まれた配信情報の抽出を行なうよう構成されている。この配信情報検索部２８によって検索された配信情報は、送受信部２４によってクライアント端末１２Ａ、１２Ｂ、１２Ｃ・・・に送信されるように構成されている。
【００３１】
表示画面作成部３６は、クライアント端末認識部３０によって認識されたクライアント端末１２Ａ、１２Ｂ、１２Ｃ・・・の機種情報に基いて、クライアント端末１２Ａ、１２Ｂ、１２Ｃ・・・の表示画面に適切に表示させる表示画面の情報を作成するよう構成されている。また、制御部４０は、エリア情報データベース３４と、クライアント端末１２Ａ、１２Ｂ、１２Ｃ・・・に表示させる表示画面を作成すると、ユーザの情報を格納するユーザデータベース３８と、送受信部２４、エリア情報認識部２６、配信情報検索部２８、クライアント端末認識部３０、地域情報検索部３２及び表示画面作成部３６などを制御するよう構成されている。
【００３２】
ユーザ情報データベース３８は、氏名や電話番号など個人情報や後述するようにデフォルトとしてのエリア情報にＩＤ（ユーザＩＤ）を付して格納している。ユーザ記録データベース３７は、クライアント端末１２Ａ、１２Ｂ、１２Ｃ・・・に配信された全ての配信情報に関するタグＩＤなどをユーザＩＤと関連付けさせて格納するよう構成されており、このユーザ記録データベース３７に格納されたタグＩＤやユーザＩＤが含まれたレコードには、ユーザのブックマークとして登録するか否かのチェックボックスが設けられている。後述するようにユーザは、ユーザ記録データベース３７に格納され、このブックマークとして登録された配信情報のみを他のパソコンなど様々なデバイスを利用して閲覧することができる。ユーザ記録格納部３９は、クライアント端末１２Ａ、１２Ｂ、１２Ｃ・・・に配信された配信情報に関するタグＩＤの格納処理や、クライアント端末１２Ａ、１２Ｂ、１２Ｃ・・・の要求に基づいてその格納されたタグＩＤのレコード内のブックマークの登録処理などを行なうように構成されている。
【００３３】
配信済み情報検索部４１は、ユーザ記録データベース３７に格納された配信情報を検索できるように構成されている。例えば、ユーザ記録データベース３７は、配信された配信情報に関するタグＩＤを格納し、ユーザの要求により、それらのうち必要なものだけブックマークとして登録することができるので、ユーザは、配信済み情報検索部４１を用いることにより、自宅のパソコンなど様々なデバイスから所望の配信情報だけを検索し、取得することができる。また、タグＩＤのレコードには、エリアＩＤが含まれているので、ユーザは、配信済み情報検索部４１を用いることにより、自らが情報を取得したエリアを検索し、確認することができる。さらに、配信情報として配信情報に関する場所（例えば、情報提供者の現実の場所）がエリアＩＤとして、格納されている場合、その配信情報としてのエリアＩＤを用いることによって、ユーザが現在いる場所に関するブックマークとして登録されている情報を取得することができる。
【００３４】
また、このようなユーザ記録データベース３７に格納されたタグＩＤやユーザＩＤを利用することにより、様々な情報の分析を行なうことができる。例えば、同一の情報ＩＤを情報タグデータベース２１の異なるタグＩＤのレコード内に格納した場合、タグＩＤのレコード内には、エリアＩＤが含まれているので、ユーザ記録データベース３７に格納されたタグＩＤのうち、一の配信情報の情報ＩＤを有するものを検索することにより、その配信情報が取得されたエリア毎のヒット件数などを把握することができ、エリア毎の広告効果などを分析することができる。さらに、ユーザＩＤを利用することにより、ユーザ情報データベース３８に格納された情報（例えば、性別、年齢等）などを分析することもできる。
【００３５】
次に、本実施例に係る情報配信システムの動作について、図６に示すフローチャートに基づいて説明する。先ず、情報配信システム１０の送受信部２４は、基地局４２及びインターネット４４を介してクライアント端末１２Ａからアクセスが要求されると（Ｓ１００）、そのクライアント端末１２ＡにＩＤ及びパスワードの入力画面を送信する（Ｓ１０２）。次に、送受信部１４は、クライアント端末１２ＡからＩＤ及びパスワード情報を受信すると（Ｓ１０４）、ＩＤ及びパスワードの認証を行い、正当なユーザのＩＤ及びパスワードであると認識すると（Ｓ１０８）、クライアント端末認識部３０は、クライアント端末１２Ａの位置情報を取得ができるか否かの判断をクライアント端末１２Ａの機種を認識することにより行なう（Ｓ１１０）。位置情報が取得可と判断した場合、送受信部２４は、通信事業者からクライアント端末１２Ａの位置情報を取得し（Ｓ１１２）、地域情報検索部３２は、その送受信部２４によって受信された位置情報が属する地域情報をエリア情報データベース３４から検索する（Ｓ１１６）。そして、エリア情報認識部２６は、その地域情報検索部３２によって検索された地域情報をエリア情報として認識し（Ｓ１１８）、ステップ１２６に進む。なお、本実施例においては、ＩＤ及びパスワードを最初の段階で要求し、ユーザを特定したが、例えばステップ１４６におけるタグＩＤを格納するか否かの問合せの際にＩＤ及びパスワードを要求して、その段階でユーザを特定しても良い。
【００３６】
一方、ステップ１１０において、位置情報が取得不可と判断した場合、エリア情報認識部２６は、ユーザ情報データベース３８にエリア情報がそのユーザのデフォルトとして格納されているかの判断を行なう（Ｓ１２０）。エリア情報がデフォルトして格納されている場合は、その格納されているものをエリア情報として認識し（Ｓ１１８）、ステップ１２６に進む。格納されていないと判断した場合、送受信部２４は、先ず、図７に示す上位層のエリア情報の選択画面をクライアント端末１２Ａに送信し、その後、ユーザの選択により、図８に示すより下位層のエリア情報の選択画面を送信する（Ｓ１２２）。送受信部２４が最下位層のエリア情報を受信すると（Ｓ１２４）、エリア情報認識部２６は、その受信したものをエリア情報として認識し（Ｓ１１８）、ステップ１２６に進む。
【００３７】
ステップ１２６において、表示画面作成部３６は、図９に示すようにエリア情報認識部２６によって認識されたエリア情報が表示された、数字情報の入力画面を作成し、送受信部１４は、その入力画面をクライアント端末１２Ａに送信する。なお、図９において「ＧＰＳ」は、後述するようにステップ１１２に戻り再度クライアント端末１２Ａの位置情報を受信させるか、又はステップ１１０に戻り位置情報を認識可能かの判断を行なせる選択項目であり、「エリアメニュー」、「エリア検索」、「今日のイベント」、「人気タグ」は、クライアントの位置情報に基く有用な情報の検索を行わせる選択項目であり、「マイポケット」は、ユーザ記録データベース３７に格納されたタグＩＤやそれに関連付けされた配信情報をエリアや日付ごとに参酌できる選択項目であり、「名詞交換」は、後述するユーザ同士の情報交換に使用する選択項目である。
【００３８】
利用者は、その入力画面に表示された地域情報が情報タグ１６に表示されたエリア情報２０と同じであれば、数字情報のみを入力して返信する。情報タグ１６に表示されたエリア情報２０と異なる場合は、入力画面に表示された、その異なるエリアに関連する項目を選択する。例えば、情報タグ１６に表示されたエリア情報２０がテレビのＣＭなど特殊エリア情報の場合は、「テレビ」などの特殊エリア情報の項目を選択し、地域情報が異なる場合は、「ＵＰ」の項目を選択して送信する。エリア情報認識部２６は、クライアント端末１２Ａから送受信部２４が数字情報を受信したか、特殊エリア情報の項目を受信したか、「ＵＰ」の項目を受信したかの判断を行なう（Ｓ１２８）。数字情報を受信したと判断した場合、ステップ１３８に進む。特殊エリア情報の項目を受信したと判断した場合、エリア情報認識部２６は、その選択されたものをエリア情報として認識し（Ｓ１１８）、ステップ１２６に戻る。「ＵＰ」の項目を受信したと判断した場合、図８に示すその地域情報と同位層の選択画面をクライアント端末１２Ａに送信する（Ｓ１３０）。利用者は、その選択画面に適切な地域情報の項目がある場合は、その項目を選択し、また適切な地域情報の項目がない場合、「ＵＰ」の項目を選択して送信する。エリア情報認識部２６は、送受信部２４が選択された地域情報の項目を受信したか、又「ＵＰ」の項目を受信したかの判断を行い（Ｓ１３２）、地域情報の項目を受信したと判断した場合、その地域情報をエリア情報として認識し（Ｓ１１８）、ステップ１２６に戻る。「ＵＰ」の項目を受信したと判断した場合、より上位層の選択画面をクライアント端末１２Ａに送信する（Ｓ１３４）。利用者は、その選択画面に適切な地域情報の項目がある場合、その項目を選択し、適切な地域情報の項目がない場合、「ＵＰ」の項目を選択して送信する。エリア情報認識部２６は、送受信部２４が適切な地域情報の項目を受信した場合、ステップ１２２に戻り、「ＵＰ」の項目を受信した場合、ステップ１３４を繰り返す（Ｓ１３６）。
【００３９】
ステップ１３８において、配信情報検索部２８は、検索の日付を認識するとともに、エリア情報認識部２６によって認識されたエリア情報と同一レコード内のエリアＩＤをエリア情報データベース３４から検索する。次いで、配信情報検索部２８は、ステップ１３６において検索されたエリアＩＤと送受信部２４が受信した数字情報が含まれ、検索日が開始日と終了日の間にあるタグＩＤを情報タグデータベース２１から検索し（Ｓ１４０）、検索されたタグＩＤのレコードに含まれる情報ＩＤを引用して、配信情報データベース２２に格納された配信情報からその情報ＩＤが含まれた配信情報の抽出を行なう（Ｓ１４２）。
【００４０】
次に、表示画面作成部３６は、抽出された配信情報と、それに関連するタグＩＤをユーザ記録データベース３７にブックマークとして登録して格納するか否かの問合せ（例えば「Ｐｏｃｋｅｔ」という項目）と、が表示された画面を作成し、送受信部２４は、その画面をクライアント端末１２Ａに送信する（Ｓ１４４）。ユーザは、クライアント端末１２Ａに送信された配信情報に関連するタグＩＤをユーザ記録データベース３７にブックマークとして登録して格納しておく場合は、問合せ画面に対して、例えば「Ｐｏｃｋｅｔ」を選択して返信する。送受信部２４が問合せ画面に対する返信を受信すると、ユーザ情報格納処理部３９は、ユーザ記録データベース３７にタグＩＤをブックマークとして登録して格納して終了し、受信しなかった場合は、ユーザ記録データベース３７にタグＩＤをブックマークとしては登録しないで格納して終了する（Ｓ１４６、１４８）。なお、この時点で終了せずに、ステップ１２６に戻り、新たな数字情報を入力できるように構成しても良い。また、ステップ１２６に戻り、新たな数字情報を入力する際に、エリア情報の変更が必要な場合は、ステップ１２８の他に、例えば図９の「ＧＰＳ」項を選択することにより、ステップ１１２に戻り再度クライアント端末１２Ａの位置情報を受信させるか、又はステップ１１０に戻り位置情報を認識可能かの判断を行なわしても良い。
【００４１】
本実施例に係る情報配信システム１０においては、数字情報としては、４桁の数字を用いたが、これに限定されず、３桁であっても、５桁であっても良い。また、エリア情報として利用される地域情報には、図４に示すように０〜９の数値を付しても良く、この０〜９の数値は、隣接する他の地域が同じ数値にならないように付されている。例えば、０の数値が付された地域に隣接する地域には、１〜９のいずれかの数値が付されるようになっており、また１の数値が付された地域に隣接する地域には、０、２〜９の数値が付されるようになっている。この場合、情報タグ１６の数字情報１８の１桁目の数値は、地域情報データベース１６に格納された地域に付された数値として、エリア情報データベース３４に格納され、残りの数値は、それぞれの地域毎の数字情報として情報タグデータベース２１に格納される。すなわち、残りの数値は、所定の一つの地域内の情報としては、重複して利用することができないが、異なる地域間においては、重複して利用することができ、特に各地域に付された０〜９の数値が同じ地域間であっても重複して利用することができる。これにより、膨大な情報量であっても、数字情報の桁数を少なくすることができる。この場合、エリア情報認識部２６は、地域情報検索部３２によって検索された地域情報及びそれに隣接する地域情報のうち、送受信部２４によって受信された数字情報の一桁目の数値と同一の数値が付された地域情報をエリア情報として認識するよう構成される。例えば、クライアント端末１２Ａが図４の「０」の地域に位置し、情報タグ１６が「７」の地域に存する場合、地域情報検索部３２は、「０」の地域をクライアント端末１２Ａが属する地域情報として検索するが、クライアント端末１２Ａから送受信部２４によって受信される数字情報の一桁目の数字は、「７」であるので、エリア情報認識部２６は、「７」の地域をエリア情報として認識する。このように構成することにより、本実施例に係る情報配信システムは、クライアント端末１２Ａ、１２Ｂ、１２Ｃ・・・の位置が誤って認識された場合や、クライアント端末１２Ａ、１２Ｂ、１２Ｃ・・・が属する地域と情報タグ１６が存する地域が異なる場合であっても、情報タグ１６の適切なエリア情報２０を認識することができる。
【００４２】
また、本実施例に係る情報配信システム１０は、図１０に示すように本システムとインターネット４４などを介してアクセス可能な情報サーバ１４Ａ、１４Ｂ、１４Ｃ・・・を配信情報データベース２２として用いても良く、この場合、情報サーバ１４Ａ、１４Ｂ、１４Ｃ・・・からクライアント端末１２Ａ、１２Ｂ、１２Ｃ・・・に配信情報を本システムを介さないで配信してもよく、本システムを介して配信しても良い。
【００４３】
さらに、本実施例に係る情報配信システム１０は、ＧＰＳ情報をクライアント端末１２Ａ、１２Ｂ、１２Ｃ・・・の位置情報として用いたが、位置情報を取得できるデバイスであれば良く、例えばｉエリア（登録商標）のように移動体電話の基地局４２によって検索される位置情報などを用いても良い。また、クライアント端末１２Ａ、１２Ｂ、１２Ｃ・・・としては、必ずしも移動体電話である必要はなく、通信可能なＰＤＡやノートパソコンなど通信可能なモバイル機器であっても良い。
【００４４】
また、本発明に係る情報配信システムは、以下のようにユーザ同士の情報交換にも利用することができる。すなわち、ユーザが自らの情報、例えばユーザ情報データベース３８に格納された情報を情報タグデータベース２１及び配信情報データベース２２に格納して、情報タグ１６を取得し、その情報タグ１６の数字情報１８及びエリア情報２０を互いに交換し、それぞれが入手した数字情報１８とエリア情報２０に基いて相手方の情報を入手し、その入手した情報をユーザ記録データベース３７などに保存することができる。この場合、情報タグ１６の利用期間を短くすることにより、数字情報１８を有効に利用することができる。また、既に互いにエリア情報が解決されている場合は、数字情報のみを交換することにより、相手方の情報を入手することができる。例えば、図９の「名刺交換」の項目を選択して送信すると、ユーザ情報データベース３８に格納された情報が情報タグデータベース２１及び配信情報データベース２２に格納されて、数字情報が発行され、その数字情報が送信され、それを相手方に入力させることによって、ユーザ情報を相手方に送信することができる。その相手方のユーザ情報を受信したユーザは、その相手方のユーザ情報をユーザ記録データベース３７に保存することができる。
【図面の簡単な説明】
【００４５】
【図１】本発明に係る情報配信システムの実施例とクライアント端末の関係を示す概念図である。
【図２】本実施例に係る情報配信システムの概念図である。
【図３】本実施例に係る情報配信システムに使用される情報タグの正面図である。
【図４】複数に区分された地域の概念図である。
【図５】情報タグデータベースの概念図である。
【図６】本実施例に係る情報配信システムの動作を示すフローチャートである。
【図７】本実施例に係る情報配信システムにおいて、クライアント端末に表示されるエリア情報の選択画面の概念図である。
【図８】本実施例に係る情報配信システムにおいて、クライアント端末に表示されるエリア情報の選択画面の概念図である。
【図９】本実施例に係る情報配信システムにおいて、クライアント端末に表示される数字情報の入力及びエリア情報の選択画面の概念図である。
【図１０】本発明に係る情報配信システムの実施例とクライアント端末及び情報サーバの関係を示す概念図である。
【符号の説明】
【００４６】
１０   情報配信システム
１２Ａ、１２Ｂ、１２Ｃ・・・       クライアント端末
１４Ａ、１４Ｂ、１４Ｃ・・・       情報サーバ
１６   情報タグ
１８   数字情報
２０   エリア情報
２２   配信情報データベース
２４   送受信部
２６   エリア情報認識部
２８   配信情報検索部
【図１】
2006059294.tif 000003
【図２】
2006059294.tif 000004
【図３】
2006059294.tif 000005
【図４】
2006059294.tif 000006
【図５】
2006059294.tif 000007
【図６】
2006059294.tif 000008
【図７】
2006059294.tif 000009
【図８】
2006059294.tif 000010
【図９】
2006059294.tif 000011
【図１０】
2006059294.tif 000012